(57)【要約】【課題】送信元又は受信先の所在を秘密とした状態にて送受信を可能とするインターネットシステムの構成を提供すること。【解決手段】端末コンピューター１を備えている複数のクライアント同志を中間サーバーを介して通信可能としているインターネットシステム３において、特定の端末コンピューター１に対しアドレス変換装置２を設け、当該端末コンピューター１が有している元のアドレスから変換されたアドレスによって、送信又は受信を行うことに基づき、送信元又は受信先の存在自体を秘密にする場合、送信元又は受信先において複数のアドレスを使い分ける場合、受信元又は送信元において共用の変換アドレスを使用する場合、情報の単位を必要に応じて変換する場合、送信又は受信を拒絶する場合等に適合し得るインターネットシステム３。【選択図】　　　　　図５
2004088674.tif 000002
【特許請求の範囲】
【請求項１】
端末コンピューターを備えている複数のクライアント同志を中間サーバーを介して通信可能としているインターネットシステムにおいて、特定の端末コンピューターに対しアドレス変換装置を設け、当該端末コンピューターが有している元のアドレスから変換されたアドレスによって、送信又は受信を行うことに基づくインターネットシステム。
【請求項２】
アドレス変換装置を制御し、かつ統括しているサーバーにおいて、変換の対象となっている元のアドレスを秘密扱いとし、第三者から検索不能な状態としていることを特徴とする請求項１記載のインターネットシステム。
【請求項３】
１個の端末コンピュータにおいて、複数の変換アドレスを設けたことを特徴とする請求項１記載のインターネットシステム。
【請求項４】
複数個の端末コンピュータが１個の変換されたアドレスを共有していることを特徴とする請求項１記載のインターネットシステム。
【請求項５】
特定のクライアントが有しているパソコンとコンピューター式携帯電話とが同一の変換アドレスを共有していることを特徴とする請求項４記載のインターネットシステム。
【請求項６】
アドレス変換装置において、送信又は受信の対象となる情報単位を順次蓄積して記憶し、かつ受信側の情報の表示単位に合わせた情報単位に変換する機構を設け、当該変換した情報単位に基づいて送信、又は受信を行うことを特徴とする請求項１記載のインターネットシステム。
【請求項７】
アドレス変換装置において、特定のアドレスを有するクライアントに対する送信、又は特定のアドレスを有するクライアントからの送信を不能とする機構を設けていることを特徴とする請求項１記載のインターネットシステム。
【発明の詳細な説明】
【０００１】
【発明の属する技術分野】
本発明は、アドレス変換装置を設けることによって、多用な機能を発揮し得るインターネットシステムに関するものである。
【０００２】
【従来の技術】
従来インターネットシステムにおいては、各クライアントが有しているパソコン又は携帯電話などの端末コンピューター機毎にアドレスが特定しており、ｅメールなどの通信は、当該特定したアドレスを介して行われていた。
【０００３】
しかしながら、このような端末コンピューターに対応したアドレスを使用している場合には、必然的に、当該端末コンピューターを有しているクライアントの所在が判明することになり、例えば送信元のクライアントにおいて、自らが送信元であることを秘密にしたい場合、又は受信先のクライアントにおいて、自らが受信先であることを秘密にしたい場合には、前記従来システムでは、上記秘密に関する要請に応ずることができない。
【０００４】
更には、送信元及び受信先の各端末コンピューターのアドレスが特定していることによって、ハッカーが特定のクライアントを狙って、コンピューターウイルスなどによる障害を生じさせることも極めて容易な状態にあった。
【０００５】
【発明が解決しようとする課題】
本発明は、前記のような従来のインターネットシステムにおける問題点を克服し、多用な機能を発揮できるインターネットシステムの構成を提供することを課題とするものである。
【０００６】
【課題を解決するための手段】
前記の課題を解決するため、本発明の構成は、端末コンピューターを備えている複数のクライアント同志を中間サーバーを介して通信可能としているインターネットシステムにおいて、特定の端末コンピューターに対しアドレス変換装置を設け、当該端末コンピューターが有している元のアドレスから変換されたアドレスによって、送信又は受信を行うことに基づくインターネットシステムからなる。
【０００７】
【発明の実施の形態】
本発明は、図５に示すように、特定のクライアントが有しているパソコン１１、携帯電話１２などの端末コンピューター１において、元のアドレスを他の特定のアドレスに変換し得るアドレス変換装置２を設け、送信、又は受信を行うことを特徴とする（尚、図５は、送信、及び受信の双方が行われている場合を示す。）。
【０００８】
アドレス変換装置２自体は、インターネットにおける中間サーバーに該当するが、インターネット回線内において、アドレス変換装置２は、端末コンピュータ１と隣接した位置に設ける場合と、他のサーバーを介した中間位置に設ける場合の双方を採用することができる。
【０００９】
このようなアドレス変換装置２を設ける一方、当該アドレス変換装置２を制御し、かつ統括しているサーバーにおいて、変換の対象となっている元のアドレスを秘密扱いとした場合には、第三者から当該元のアドレスは、検索不能な状態となる。
【００１０】
このような場合には、送信元において、所定の情報を提供する場合、自らが送信元であることを秘密にしたい場合には、アドレス変換装置２によって変換されたアドレスが受信先に察知されるも、変換の対象となる元のアドレスを秘密扱いとすることによって、自らが送信元であることを秘匿した状態にて送信を行うことができる。
【００１１】
送信元の所在を秘匿することが好都合なケースとしては、ＯＥＭ製品の情報の交換に際し、製造元である下請企業が自らの所在を明らかにせずに、元受企業の納品先又は第三者であるユーザに対し、必要な情報を伝達する場合、又は社会的不正が行われている組織内の秘密情報を第三者に対し、送信元の所在を明らかにせずに、内部告発を行う場合の情報の伝達などを挙げることができる。
【００１２】
同様に、受信先において所定の情報の提供を受ける場合、自らが受信先であることを秘密にしたい場合には、アドレス変換装置２によって変換されたアドレスが送信元に察知されるも、変換の対象となる元のアドレスを秘密扱いとすることによって、自らが受信先であることを秘匿した状態にて受信を行うことができる。
【００１３】
このように、自らが受信先であることを秘匿することができることが好都合なケースとしては、例えば特定のアンケート調査に関する受信が行われ、かつ当該受信に基づいて回答する際、アンケート調査がどのような受信先に送信され、かつ回答が行われたかを秘匿した状態とすることによって、アンケート調査を実行するケースを挙げることができる。
【００１４】
このように、本発明のシステムは、送信元又は受信先の所在を秘密状態としたことによる匿名によるメールを行うために、極めて好都合なシステムである。
但し、本発明のシステムは、必ずしも上記のような秘密状態の保持のみに適合する訳ではない。
【００１５】
以下実施例において、様々な有用性を発揮し得る場合について説明する。
【００１６】
【実施例１】
実施例１は、図１（ａ）、（ｂ）において、既に１個の端末コンピュータ１において、複数の変換アドレスを設けたことを特徴としている。
【００１７】
実施例１の場合には、送信元は、受信先の種類に応じて複数の変換アドレスを選択して使い分けることができ、これによって、複数の受信先に対し、自らの所在を特定せずに別人であるような印象を与えることが可能となる。
【００１８】
更には、個別の受信先に対応して、個別の変換アドレスを採用した場合には、単に変換アドレス符合を選択し、煩雑な受信先のアドレス符合による操作を伴わずとも、特定の受信先に対する通信を行うことができる。
【００１９】
受信先において１個の端末コンピュータ１に対し複数の変換アドレスを設定した場合には、予め送信元との関係において、各変換アドレスとの対応関係を設定し、例えば異なる業務毎に異なる変換アドレスを使用し、これによって、受信した情報が該当する業務の種類を変換アドレスの符合によって直ちに分類することができる。
【００２０】
【実施例２】
実施例２は、図２（ａ）、（ｂ）に示すように、実施例１の場合とは逆に、複数個の端末コンピュータ１が１個の変換されたアドレスを共有していることを特徴としている。
【００２１】
実施例２の場合には、例えば、送信元において、１個の共通したメールアドレスを利用することによって、複数のクライアントが送信を行うことができ、例えばＯＥＭ製品の製造において、複数個の下請企業が個別の下請業者が有している元のメールアドレスを表示せずに、変換された共通のメールアドレスの下に元受企業の納品先又は第三者に対し、ＯＥＭ製品に関する情報の提供を行うことができる。
【００２２】
他方、受信先において複数個の端末コンピュータ１が１個の変換アドレスと対応関係にある場合には、１個の変換アドレスを介して、一挙に複数の受信先に送信することができ、例えば複数の受信先に対する宣伝広告を行う場合などの共通した情報の送信に極めて好都合である。
【００２３】
クライアントにおいては、端末コンピュータ１としてパソコン１１とコンピューター式携帯電話１２（以下「携帯電話」と略称する。）の双方を備えている場合が多いが、通常パソコン１１と携帯電話１２のアドレスは相違している。
【００２４】
パソコン１１と携帯電話１２の送信用又は受信用のアドレスを共通アドレスの下に変換した場合には、例えば、携帯電話１２がＮＴＴドコモのネット回線を使用しているのに対し、パソコン１１はアーバンインターネットの回線を使用している場合において、双方の回線を転用することができ、一方の回線が混雑している場合に、他方の回線を使用するという利点を得ることができる。
【００２５】
更には、受信先において、端末のパソコン１１と携帯電話１２に共通する変換アドレスを使用している場合には、双方において受信を行うか、又はオフィスに所在している段階では、パソコン１１によって受信し、外出している段階では、携帯電話１２によって受信するなどの選択を行うこともできる。
【００２６】
【実施例３】
実施例３には、図３（ａ）、（ｂ）に示すように、アドレス変換装置２において、送信又は受信の対象となる情報単位を順次蓄積して記憶し、かつ受信側の情報の表示単位に合わせた情報単位に返還する機構を設け、当該変換した情報単位に基づいて送信、又は受信を行うことを特徴としている。
【００２７】
携帯電話１２の場合には、送信又は受信する情報を表示する画面が狭小のため、伝達する情報の単位が、パソコン１１に比し極めて少ない状態とならざるを得ない。
【００２８】
したがって、例えば図３（ａ）に示すように、携帯電話１２を送信元としパソコン１１を受信先とする情報の場合には、パソコン１１の画面には順次携帯電話１２による少ない情報の単位が画面に表示されることになり、画面表示に相当の時間を要することにならざるを得ない。
【００２９】
他方、図３（ｂ）に示すように、パソコン１１を送信元とし、携帯電話１２を受信先とした場合には、携帯電話１２は自らクリックを行いながら順次パソコン１１によって伝達された情報を画面表示することが必要とならざるを得ない。
【００３０】
実施例３においては、前記の何れの場合においても、アドレス変換装置２が送信又は受信に係る情報を一旦記憶し、受信先の情報が扱っている情報単位（受信先が携帯電話１２の場合には小さな画面表示に適合する単位であり、受信先がパソコン１１の場合には大きな画面表示による単位）に合わせて、情報の送信又は受信を行っているので、受信先がパソコン１１の場合には一挙に画面表示を行うことができ、受信先が携帯電話１２の場合には、逐次画面のクリックをせずとも、自動的に順次画面表示を行うことができる。
【００３１】
【実施例４】
実施例４は、図４（ａ）、（ｂ）に示すように、アドレス変換装置２において、特定のアドレスを有するクライアントに対する送信、又は特定のアドレスを有するクライアントからの送信を不能とする機構を設けていることを特徴としている。
【００３２】
通常パソコン１１、携帯電話１２などの端末コンピュータ１においては、全ての回線と接続可能な状態に設定されており、特定の相手との送受信を不可能とするような設計は行われていない。
【００３３】
これに対し、本発明のシステムのように、送信用又は受信用のアドレス変換装置２を設けている場合には、当該装置において上記のような機構を備えることができる。
【００３４】
そして、上記機構を備えることによって、送信元においては、特定の受信先への送信を不可能とする状態を実現し、これによって、特定の受信先への通信をシャットアウトし、双方の関係を根絶することができ、他方、受信先において特定の送信元からの情報の伝達を拒絶し得る状態を実現することができる。
【００３５】
通常、特定の受信先への通信を行わない場合には、要するに、当該受信先に対し送信を行わなければ良いが、誤って、当該特定の受信先に対する送信が行われる場合がある。
【００３６】
このような場合、上記機構を備えている場合には、誤って特定の受信先のアドレス番号が入力されたとしても、上記変換装置２のサーバーが備えているコンピュータ１の判別によって、その後の送信プロセスをＯＦＦの状態とすることができる。
【００３７】
同様に、上記機構を備えることによって、特定の送信元からの受信信号が入力された場合には、当該変換装置サーバーが備えているコンピュータ１の判別によって、その後の受信プロセスををＯＦＦとすることができる。
【００３８】
そして、受信を不可能とする場合（即ち受信拒絶の場合）には、拒絶の相手となる送信元に対し、受信拒絶の信号を伝達することも可能であるが、アドレス変換装置２によって、元のアドレスを秘密状態とすることによって、上記受信拒絶の信号を伝達した当事者の所在を秘匿することができる。
【００３９】
【発明の効果】
以上のように、本発明に係るインターネットシステムは、送信元又は受信先の存在自体を秘密にする場合、送信元又は受信先において複数のアドレスを使い分ける場合、受信元又は送信元において共用の変換アドレスを使用する場合、情報の単位を必要に応じて変換する場合、送信又は受信を拒絶する場合などの色々な用途に適応可能である。
【００４０】
しかも、上記秘密扱いを行うことによって、アドレス変換の対象となっている端末コンピューターに対するハッカーの侵入を極力防止することもできる。
【００４１】
このように、本発明のは、多面的な効果を有しており、その価値は絶大である。
【図面の簡単な説明】
【図１】実施例１の構成を示すブロック図であり、（ａ）は送信用の変換装置を設けた場合を示し、（ｂ）は受信用の変換装置を設けた場合を示す。
【図２】実施例２の構成を示すブロック図であり、（ａ）は送信用の変換装置を設けた場合を示し、（ｂ）は受信用の変換装置を設けた場合を示す。
【図３】実施例３の構成を示すブロック図であり、（ａ）は携帯電話を送信元として使用し、パソコンを受信先として使用した場合を示し、（ｂ）はパソコンを送信元として使用し、携帯電話を受信先として使用した場合を示す。
【図４】実施例４の構成を示すブロック図であり、（ａ）は送信用の変換装置を設けた場合を示し、（ｂ）は受信用の変換装置を設けた場合を示す。
【図５】本発明の基本構成を示すブロック図である。
【符号の説明】
１：コンピューター
１１：パソコン
１２：携帯電話
２：変換装置
３：インターネットシステム
４：元のアドレスによる信号
４′：変換されたアドレスによる信号
【図１】
2004088674.tif 000003
【図２】
2004088674.tif 000004
【図３】
2004088674.tif 000005
【図４】
2004088674.tif 000006
【図５】
2004088674.tif 000007